(57)【要約】【課題】筺体の組み立て後に当該筺体内に収容した部品同士が接触しているか否かの確認が可能な筺体及び筺体を備えた電子機器を提供する。【解決手段】電子機器としてのカーステレオは筺体２と操作表示ユニットとを備えている。筺体２は、本体４と該本体４に組み付けられる奥シャーシ１３とを備えている。本体４は、シールドケース８が装着されたシャーシ１０と該シャーシ１０の上方を覆うように被せる上蓋とで構成されている。奥シャーシ１３は、シャーシ１０に固定されて本体４に組みつけられるとともに、該本体４と組み付けられた際にシールドケース８と接触する端子片２１が装着されている。さらに奥シャーシ１３には、確認孔１５が形成されている。確認孔１５は、シールドケース８と端子片２１とを接触させて本体４に奥シャーシ１３が組み付けられた際に、シールドケース８と端子片２１とを外部から視認可能にする。【選択図】図２
2008205242.tif 000002
【特許請求の範囲】
【請求項１】
被接触部材が内部に装着される本体と、前記本体に組み付けられ且つ前記本体に組み付けられた際に前記被接触部材と接触する接触部材が装着される組付け部材と、を備えた筺体において、
前記本体に前記組付け部材が組み付けられて接触した前記接触部材と前記被接触部材との双方が外部から視認可能に形成された確認孔を有することを特徴とする筺体。
【請求項２】
前記確認孔が、前記接触部材の縁部が視認可能となるように前記組付け部材に形成されていることを特徴とする請求項１記載の筺体。
【請求項３】
前記筺体内で接触する前記接触部材と前記被接触部材とのうちの少なくとも一方に光を取り込むための取込孔を有することを特徴とする請求項１又は請求項２記載の筺体。
【請求項４】
前記取込孔が、前記確認孔に一体に形成されていることを特徴とする請求項３に記載の筺体。
【請求項５】
請求項１乃至請求項４のうちいずれか一項に記載の筺体と、前記本体の内部に装着される被接触部材と、前記組付け部材が前記本体に組み付けられた際に前記被接触部材と接触するように前記組付け部材に装着される接触部材と、を有する電子機器であって、
前記接触部材が前記被接触部材と電気的に接続するアース端子であることを特徴とする電子機器。
【発明の詳細な説明】
【技術分野】
【０００１】
本発明は、例えば、電子機器の筺体内に収容した部品同士の接触の確認が可能な筺体及び筺体を備えた電子機器に関する。
【背景技術】
【０００２】
例えば、移動体としての自動車のインストルメントパネル（以下、インパネと呼ぶ）には、カーステレオ等の電子機器が取り付けられている。この電子機器は、前記インパネに取り付けられる機器本体と液晶ディスプレイ等の表示部や各種操作ボタンを有するフロントパネルとを備えている。
【０００３】
機器本体は、筺体と、この筺体内に収容されたＣＤ（Compact Disk）プレーヤ等の記録媒体再生装置や、ラジオ放送を受信するＡＭ／ＦＭチューナ等を備えている。筺体には、記録媒体再生装置で再生される記録媒体が出し入れ自在となっている。前述したフロントパネルは、前記記録媒体再生装置及びＡＭ／ＦＭチューナの動作状況を示す情報等を表示するとともに、これらの各種機能の動作指示を行う際に操作されるタッチスイッチや押圧ボタンが設けられている。
【０００４】
前述した従来の電子機器は、筺体内に収容された記録媒体再生装置及びＡＭ／ＦＭチューナ等の電子部品が電磁波ノイズの影響を受けやすく、外部から浸入する電磁波ノイズや電源部等から発せられる電磁波ノイズによって誤作動が生じることがある。また、電磁波ノイズは、電子機器の誤作動を誘発するだけでなく、人体に対しても少なからず影響を及ぼす恐れがある。
【０００５】
このため、従来の電子機器では、これらの電子部品を導電性材料からなるシールドケース等で覆って、外部からの電磁波ノイズの影響を受けないように、また電磁波ノイズを出さないようにしていた。そして、前述した電磁波ノイズを電子機器外に逃がすために、導電性材料からなるアース端子を筺体に取り付けて、このアース端子と前述したシールドケースとを接触させて電気的に接続していた。即ち、電子部品と筺体とをシールドケース及びアース端子を介して電気的に接続していた。
【発明の開示】
【発明が解決しようとする課題】
【０００６】
前述した従来から用いられてきた筺体では、電子機器の筺体の組み立て後に該筺体内の電子部品の組み付け状態を確認する場合、筺体の隙間等から覗き込んで確認していたため、内部が暗いこともあり確認が困難であった。特に、接触しているか否かの確認が必要な、前述したシールドケースとアース端子との接触箇所を目視することができず、これらのシールドケース及びアース端子の位置関係で接触しているか否かを判断していたため、シールドケースとアース端子との接触の確認が不十分であった。本発明が解決しようとする課題には、前述した問題が一例として挙げられる。
【０００７】
したがって、本発明の目的は、例えば、筺体の組み立て後に当該筺体内に収容した部品同士が接触しているか否かの確認が可能な筺体及び筺体を備えた電子機器を提供することにある。
【課題を解決するための手段】
【０００８】
前記課題を解決し目的を達成するために、請求項１に記載の本発明の筺体は、被接触部材が内部に装着される本体と、前記本体に組み付けられ且つ前記本体に組み付けられた際に前記被接触部材と接触する接触部材が装着される組付け部材と、を備えた筺体において、前記本体に前記組付け部材が組み付けられて接触した前記接触部材と前記被接触部材との双方が外部から視認可能に形成された確認孔を有することを特徴としている。
【０００９】
前記課題を解決し目的を達成するために、請求項５に記載の本発明の電子機器は、請求項１乃至請求項４のうちいずれか一項に記載の筺体と、前記本体の内部に装着される被接触部材と、前記組付け部材が前記本体に組み付けられた際に前記被接触部材と接触するように前記組付け部材に装着される接触部材と、を有する電子機器であって、前記接触部材が前記被接触部材と電気的に接続するアース端子であることを特徴としている。
【発明を実施するための最良の形態】
【００１０】
以下、本発明の一実施形態を説明する。本発明の一実施形態にかかる筺体は、本体に組付け部材が組み付けられた際に接触する被接触部材と接触部材との双方が外部から視認可能な確認孔を有している。このことによって、本体に組付け部材が組み付けられた後に、筺体の外側から当該筺体内の被接触部材及び接触部材の取り付け状態を視認することができるとともに、被接触部材と接触部材との接触状態を視認することができる。
【００１１】
また、上記確認孔が、接触部材の縁部が視認可能となるように組付け部材に形成されているので、確認孔から筺体内を視認した際に、筺体内の他の部品に遮られることなく接触部材を視認することができるとともに、接触部材と被接触部材との接触状態を視認することができる。
【００１２】
さらに、筺体内で接触する接触部材と被接触部材とのうち少なくとも一方に光を取り込むための取込孔を有しているので、筺体内で接触する接触部材及び被接触部材の視認性を向上することができる。このことによって、確認孔から筺体内を視認した際に、被接触部材と接触部材とを確実に視認することができるとともに、被接触部材と接触部材との接触状態を確実に視認することができる。
【００１３】
また、取込孔が確認孔に一体に形成されているので、取込孔を別途形成する必要が無いため、コストを抑制することができる。
【００１４】
さらに、電子機器が、請求項１乃至請求項４のうちいずれか一項に記載の筺体と、該筺体内に装着される被接触部材と、組付け部材が本体に組み付けられた際に被接触部材と接触するように該組付け部材に装着される接触部材とを有し、且つ、前記接触部材が被接触部材と電気的に接続するアース端子である。このことによって、電子機器において、被接触部材と電気的に接続するアース端子の接触確認をすることができるので、安定したアース接続を行うことができる。
【実施例】
【００１５】
本発明の一実施例にかかる筺体及びこの筺体を備えた電子機器としてのカーステレオ１を図１乃至図４に基づいて説明する。図１などに示すカーステレオ１は、移動体としての自動車のインストルメントパネル（以下、インパネと呼ぶ）等に装着される。
【００１６】
カーステレオ１は、図１に示すように、筺体２と、操作表示ユニット３とを備えている。筺体２は、箱状に形成され且つ前述したインパネに取り付けられる。筺体２には、再生装置としてのＣＤプレーヤ（図示せず）やラジオ放送を受信するＡＭ／ＦＭチューナ７や電源部９（図３に示す）等の各種の電子部品と、これらの電子部品が実装される後述する印刷配線板６とが収容されている。この筺体２の詳細な構成については後述する。
【００１７】
操作表示ユニット３は、前述した筺体２の図１中手前側に位置する前面に取り付けられている。操作表示ユニット３は、筺体２がインパネに取り付けられると、外部に露出するとともに乗員（使用者ともいう）に相対する。
【００１８】
操作表示ユニット３は、液晶ディスプレイ（ＬＣＤ：Liquid Crystal Display）などからなる情報等を表示する表示パネル３１と、複数の押しボタン３２等を備えている。操作表示ユニット３は、表示パネル３１にＣＤプレーヤの再生状況やＡＭ／ＦＭチューナ７の受信状況等を表示する。また、操作表示ユニット３には、筺体２内に図示しないＣＤを出し入れ自在とする挿入口３３が設けられている。挿入口３３は、勿論、操作表示ユニット３を貫通している。
【００１９】
複数の押しボタン３２は、使用者により押圧されることにより操作される。これらの押しボタン３２が操作されることにより、筐体２の内部に収容されたＣＤプレーヤ及びＡＭ／ＦＭチューナ７等が動作する。ＣＤプレーヤは、筺体２に挿入されたＣＤの情報を読み出して、音声として出力する。ＡＭ／ＦＭチューナ７は、ラジオ放送を受信して、音声として出力する。
【００２０】
前述した筺体２は、本体４と、この本体４に組付けられる組付部材としての奥シャーシ１３とを有している。本体４は、断面形状がコ字状に形成されたシャーシ１０（図２に示す）と、このシャーシ１０の上方を覆うように被せる上蓋５とで構成される。即ち、本体４は、図１中手前側に位置する前面及び奥側が開口する箱状に形成されている。そして、本体４の図２中奥側に位置する背面側に奥シャーシ１３が組み付けられる。
【００２１】
また、本体４のシャーシ１０には、前述したＣＤプレーヤやＡＭ／ＦＭチューナ７や電源部９等の各種の電子部品及び後述する印刷配線板６等が取り付けられている。即ち、ＣＤプレーヤやＡＭ／ＦＭチューナ７や電源部９等の各種の電子部品及び印刷配線板６は、上蓋５とシャーシ１０とで構成される本体４と、奥シャーシ１３とで形成される筺体２の空間内に収容されている。
【００２２】
シャーシ１０は、板金などからなり、図２に示すように、平板状の底シャーシ１１と、この底シャーシ１１の幅方向の両縁から立設した一対の側シャーシ１２ａ，１２ｂと、を備えるとともに、断面形状がコ字状に形成されている。そして、底シャーシ１１に直交し且つ一対の側シャーシ１２ａ，１２ｂを互いに連結するように前述した奥シャーシ１３が組み付けられる。奥シャーシ１３は、特許請求の範囲に記載の組付け部材を成しており、詳細な構成については、後述する。
【００２３】
印刷配線板６は、筐体２の本体４内に収容されている。印刷配線板６は、絶縁性の基板６ａと、該基板６ａの表面に形成された配線パターンとを備えている。基板６ａは、本体４のシャーシ１０に取り付けられ且つその両表面がシャーシ１０の底シャーシ１１と平行に配されている。基板６ａには、前述したＡＭ／ＦＭチューナ７や図示しないＣＤプレーヤ等の各種の電子部品が実装されている。配線パターンは、銅などの導電性の金属で構成されている。配線パターンは、箔状に形成されて基板６ａの表面に貼り付けられている。配線パターンは、前述した電子部品同士を予め定められたパターンにしたがって電気的に接続している。
【００２４】
また、印刷配線板６には、前述したＡＭ／ＦＭチューナ７等の各種の電子部品を覆うように設けられたシールドケース８が取り付けられている。シールドケース８は、導電性を有する金属材料からなり、基板６ａ側の面が開放された箱状に形成されている。そして、ＡＭ／ＦＭチューナ７等の各種の電子部品をシールドケース８内に収容し且つこのシールドケース８を基盤６ａに取り付けて、これらの電子部品をシールドケース８と基盤６ａとで密閉することによって、当該電子部品の電磁波遮蔽を行なっている。このシールドケース８は、特許請求の範囲に記載の被接触部材を成している。
【００２５】
前述した奥シャーシ１３は、板金などからなり、図２又は図３に示すように、平面形状が略矩形の平板状に形成されている。奥シャーシ１３は、略中央部分に本体４内部側に突出した段差部１４が設けられている。また、奥シャーシ１３には、印刷配線板６に実装されたＣＤプレーヤ及びＡＭ／ＦＭチューナ７等のコネクタ２７を外側に露出するコネクタ用露出窓１８と、電源部９に接続されたケーブルを外部に導出するための電源ケーブル用露出窓１９と、複数の貫通孔１７とが設けられている。
【００２６】
複数の貫通孔１７は、奥シャーシ１３の外周に沿って形成されている。この複数の貫通孔１７それぞれにボルト３５を挿通して、前述した底シャーシ１１及び側シャーシ１２ａ，１２ｂに奥シャーシ１３が固定される。こうして、奥シャーシ１３は、底シャーシ１１及び側シャーシ１２ａ，１２ｂに組み付けられる。
【００２７】
さらに、奥シャーシ１３には、接触部材としての端子片２１と、確認孔１５とが設けられている。
【００２８】
端子片２１は、板金等からなり、平面形状が略矩形の平板状で且つ側方から見て略階段状に形成されている。端子片２１は、図２に示すように、一端部２２側が自由端で且つ他端部２３側が一対のリベット２５によって段差部１４に固定された固定端となるように奥シャーシ１３に取り付けられている。即ち、端子片２１は、一端部２２が段差部１４と離間した状態で奥シャーシ１３に取り付けられている。この端子片２１が、シールドケース８と電気的に接続するアース端子である。
【００２９】
確認孔１５は、奥シャーシ１３を貫通するように形成されて段差部１４に設けられている。確認孔１５は、長手方向が前述した端子片２１の長手方向と平行なスリット状に形成されている。確認孔１５は、前述した端子片２１の一端部２２と一部が重なる位置に配されている。そして、確認孔１５は、端子片２１の一端部２２の縁部を外部から視認可能にしている。
【００３０】
また、前述した確認孔１５には、略中央部分に切欠部１６が設けられている。切欠部１６は、確認孔１５の幅方向の両側をそれぞれ略半円状に切り欠いて形成されている。即ち、切欠部１６は、確認孔１５の略中央部分の幅を広げるように形成されている。そして、切欠部１６は、確認孔１５の幅を広げて、外部から入射する光を内部に取り込むようにしている。この切欠部１６は、特許請求の範囲に記載の取込孔を成している。
【００３１】
以下、前述した本実施例の電子機器としてのカーステレオ１の組み立て手順について説明する。
【００３２】
まず、ＣＤプレーヤ、ＡＭ／ＦＭチューナ７、電源部９等の各種の電子部品が実装された印刷配線板６にこれらの各種電子部品を覆うようにシールドケース８を取り付ける。そして、これらの各種電子部品が実装され且つシールドケース８が取り付けられた印刷配線板６を、筺体２の本体４を構成するシャーシ１０の底シャーシ１１に取り付ける。
【００３３】
次に、筺体２の組み付け部材としての奥シャーシ１３の段差部１４に、接触部材としての端子片２１をリベット２５等で固定して、端子片２１を奥シャーシ１３に装着する。
【００３４】
続いて、前述した奥シャーシ１３を、シールドケース８と端子片２１とが接触するように、シャーシ１０に近づけて、このシャーシ１０の底シャーシ１１に直交し且つ一対の側シャーシ１２ａ，１２ｂを互いに連結するように当該シャーシ１０に組み付ける。この奥シャーシ１３とシャーシ１０とは、該奥シャーシ１３の貫通孔１７にボルト３５を挿通して固定される。このとき、シャーシ１０に装着されたシールドケース８と奥シャーシ１３に装着された端子片２１とが電気的に接続する。
【００３５】
そして、奥シャーシ１３が組み付けられたシャーシ１０の上方を覆うように上蓋５を被せるように取り付けて本体４を組み立てることで、筺体２が組み立てられる。
【００３６】
最後に、図１に示すように、この筺体２の図１中手前側に位置する前面に操作表示ユニット３を取り付ける。こうして、カーステレオ１が組み立てられる。
【００３７】
本実施例によれば、本体４のシャーシ１０に奥シャーシ１３が組み付けられた際に接触するシールドケース８と端子片２１との双方が外部から視認可能な確認孔１５を有している。このことによって、本体４に奥シャーシ１３が組み付けられた後に、筺体２の外側から当該筺体２内のシールドケース８及び端子片２１の取り付け状態を視認することができるとともに、シールドケース８と端子片２１との接触状態を視認することができる。
【００３８】
また、確認孔１５が、端子片２１の一端部２２の縁部が視認可能となるように奥シャーシ１３に形成されているので、確認孔１５から筺体２内を視認した際に、筺体２内の他の部品に遮られることなく端子片２１を視認することができるとともに、端子片２１とシールドケース８との接触状態を視認することができる。
【００３９】
さらに、筺体２内で接触する端子片２１とシールドケース８とに光を取り込むための切欠部１６が筺体２の奥シャーシ１３に設けられているので、筺体２内で接触する端子片２１及びシールドケース８の視認性を向上することができる。このことによって、確認孔１５から筺体２内を視認した際に、シールドケース８と端子片２１とを確実に視認することができるとともに、シールドケース８と端子片２１との接触状態を確実に視認することができる。
【００４０】
また、切欠部１６が確認孔１５に一体に形成されているので、切欠部１６を別途形成する必要がないため、コストを抑制することができる。
【００４１】
さらに、カーステレオ１は、前述した筺体２と、該筺体２内に装着されるシールドケース８と、奥シャーシ１３が本体４のシャーシ１０に組み付けられた際にシールドケース８と接触するように当該奥シャーシ１３に装着される端子片２１と、を有しているとともに、この端子片２１がシールドケース８と電気的に接続するアース端子である。このことによって、カーステレオ１において、シールドケース８と電気的に接続するアース端子の接触確認をすることができるので、安定したアース接続を行うことができる。
【００４２】
前述した実施例では、電子機器として自動車に取り付けられるカーステレオ１を示しているが、本発明では、カーステレオ１に限らず、種々の電子機器に適用しても良い。
【００４３】
また、前述した実施例では、カーステレオ１は、筐体２の本体４内に再生装置としてのＣＤプレーヤと、ラジオ放送を受信するＡＭ／ＦＭチューナ７等を収容している。しかしながら、本発明では、ＭＤ（Mini Disc）プレーヤ、ＤＶＤ（Digital Versatile Disc）−ＲＯＭプレーヤ及びテレビ放送を受信するテレビチューナ等を収容しても良い。
【００４４】
さらに、前述した実施例では、筺体２と操作表示ユニット３とでカーステレオ１を構成している。しかしながら、本発明では、操作表示ユニット３を筺体２の一部として構成しても良い。
【００４５】
前述した実施例では、接触部材としての端子片２１を筺体２の本体４に組み付けられる奥シャーシ１３に設けて、該端子片２１を本体４のシャーシ１０に装着されたシールドケース８と接触させて、シールドケース８と奥シャーシ１３とを電気的に接続している。しかしながら、本発明では、端子片２１をシールドケース８に設けて奥シャーシ１３と接触させて、シールドケース８と奥シャーシ１３とを電気的に接続しても良い。
【００４６】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４７】
【図１】本発明の一実施例にかかる筺体を有するカーステレオを示す斜視図である。
【図２】図１に示されたカーステレオの筺体を示す分解斜視図である。
【図３】図２に示された筺体を組み付けた状態を背面側から見た説明図である。
【図４】図３に示された筺体の要部を拡大して示す説明図である。
【符号の説明】
【００４８】
１  カーステレオ（電子機器）
２  筺体
４  本体
８  シールドケース（被接触部材）
１３  奥シャーシ（組付け部材）
１５  確認孔
１６  切欠部（取込孔）
２１  端子片（接触部材）
【図１】
2008205242.tif 000003
【図２】
2008205242.tif 000004
【図３】
2008205242.tif 000005
【図４】
2008205242.tif 000006